(57)【特許請求の範囲】
【請求項１】
コンピュータに、
複数の商品のそれぞれについて、当該商品と、当該商品の第１の属性における第１の属性値及び第２の属性における第２の属性値と、当該商品の画像とを対応付けて記憶する商品情報記憶部と、
前記第１の属性に対応付けられた第１の方向と、当該第１の方向に直交し、前記第２の属性に対応付けられた第２の方向とを含む、タッチパネルに表示される表示領域上で、前記タッチパネルに指を接触させたまま前記表示領域上で指を動かす連続操作によって指定される複数の座標値により、前記第１の属性を指定する第１の指定値と、前記第２の属性を指定する第２の指定値との複数の組を連続して受け付ける操作受付部と、
前記商品情報記憶部を参照し、前記第１及び第２の指定値の前記複数の組のそれぞれについて、前記複数の商品の中から、前記第１及び第２の指定値に対応する前記第１及び第２の属性値を有する商品を特定する商品特定部と、
前記連続操作に応じて、前記特定された商品の前記画像を切り替えて表示する商品表示部と、
を実現させるための商品表示プログラム。
【請求項２】
請求項１に記載の商品表示プログラムであって、
前記商品表示部は、前記特定された商品の前記画像を、前記表示領域上に表示する、
商品表示プログラム。
【請求項３】
請求項１又は２に記載の商品表示プログラムであって、
前記商品表示部は、前記指定された座標値に応じて、前記表示領域の表示態様を変更する、
商品表示プログラム。
【請求項４】
請求項１〜３の何れか一項に記載の商品表示プログラムであって、
前記商品情報記憶部は、さらに、前記商品の色を示す色情報を記憶し、
前記商品表示部は、前記色情報に基づいて、前記表示領域の少なくとも一部の色を変更する、
商品表示プログラム。
【発明の詳細な説明】
【技術分野】
【０００１】
本発明は、複数の商品の中から特定された商品の画像を表示する商品表示プログラムに関する。
【背景技術】
【０００２】
インターネットの普及に伴い、オンラインショッピングが広く利用されるようになってきた。近年では、スマートフォン等の携帯端末で動作する、オンラインショッピングのアプリケーションも提供されている（例えば、非特許文献１）。
【先行技術文献】
【非特許文献】
【０００３】
【非特許文献１】“ＵＮＩＱＬＯ  ＡＰＰ”、［online］、株式会社ユニクロ、［平成11年7月30日検索］、インターネット＜URL：http://www.uniqlo.com/jp/app/＞
【発明の概要】
【発明が解決しようとする課題】
【０００４】
オンラインショッピングでは、例えば、商品のカテゴリを選択したり、商品に関連するキーワードで検索したりすることにより表示される商品の一覧の中から、気になる商品を選択して商品の詳細を確認するという操作が行われる。しかしながら、このような操作はありきたりであり、商品を選択する際の面白みに欠ける。
【０００５】
本発明はこのような事情に鑑みてなされたものであり、オンラインショッピングで商品を選択するための新しい操作性を提供することを目的とする。
【課題を解決するための手段】
【０００６】
本発明の一側面に係る商品表示プログラムは、コンピュータに、複数の商品のそれぞれについて、当該商品と、当該商品の第１の属性における第１の属性値及び第２の属性における第２の属性値と、当該商品の画像とを対応付けて記憶する商品情報記憶部と、第１の属性に対応付けられた第１の方向と、当該第１の方向に直交し、第２の属性に対応付けられた第２の方向とを含む表示領域上で指定される座標値により、第１の属性を指定する第１の指定値と、第２の属性を指定する第２の指定値とを受け付ける操作受付部と、商品情報記憶部を参照し、複数の商品の中から、第１及び第２の指定値に対応する第１及び第２の属性値を有する商品を特定する商品特定部と、特定された商品の画像を表示する商品表示部と、を実現させるためのものである。
【０００７】
なお、本発明において、「部」とは、単に物理的手段を意味するものではなく、その「部」が有する機能をソフトウェアによって実現する場合も含む。また、１つの「部」や装置が有する機能が２つ以上の物理的手段や装置により実現されても、２つ以上の「部」や装置の機能が１つの物理的手段や装置により実現されてもよい。
【発明の効果】
【０００８】
本発明によれば、オンラインショッピングで商品を選択するための新しい操作性を提供することが可能となる。
【図面の簡単な説明】
【０００９】
【図１】オンラインショッピングシステムの一例を示す図である。
【図２】携帯端末１００の構成の一例を示す図である。
【図３】携帯端末１００の機能ブロックの一例を示す図である。
【図４】商品情報記憶部３００に記憶される商品情報の一例を示す図である。
【図５】商品を選択するための操作画面の一例を示す図である。
【図６】商品特定部３２０により特定された商品の画像が表示された状態の例を示す図である。
【図７】商品特定部３２０により特定された商品の画像が表示された状態の例を示す図である。
【図８】商品の詳細情報が表示された画面の一例を示す図である。
【発明を実施するための形態】
【００１０】
以下、図面を参照して本発明の一実施形態について説明する。図１は、オンラインショッピングシステムの一例を示す図である。オンラインショッピングシステムは、携帯端末１００及びオンラインショッピングサーバ１１０を含む。携帯端末１００は、スマートフォンやタブレット端末等のコンピュータであり、携帯電話の無線通信回線等を含むネットワーク１２０を介して、オンラインショッピングサーバ１１０と通信することができる。オンラインショッピングサーバ１１０は、携帯端末１００に対して衣類のオンラインショッピングサービスを提供するサーバである。
【００１１】
なお、本実施形態では、オンラインショッピングサービスの商品を衣類とするが、商品の種類はこれに限られない。また、オンラインショッピングサービスは、携帯端末１００に限らず、パーソナルコンピュータ等の様々なコンピュータで利用することができる。図１では、携帯端末１００は１つしか示されていないが、オンラインショッピングサーバ１１０のサービスは、複数のコンピュータに対して提供される。オンラインショッピングサーバ１１０は、Ｗｅｂアプリケーションサーバやデータベースサーバ等、複数のコンピュータを用いて構成することができる。
【００１２】
図２は、携帯端末１００の構成の一例を示す図である。携帯端末１００は、プロセッサ２００、記憶装置２１０、タッチパネル２２０、及び通信インタフェース（Ｉ／Ｆ）２３０を含む。なお、図２には、本実施形態の説明に必要な構成のみ示されており、携帯端末１００の全ての構成が示されているわけではない。
【００１３】
プロセッサ２００は、携帯端末１００における各種処理を実行するものである。プロセッサ２００は、記憶装置２１０に記憶されたプログラムを実行することにより、携帯端末１００における様々な機能を実現することができる。記憶装置２１０は、携帯端末１００で用いられるデータやプログラムを記憶するものである。記憶装置２１０は、例えば、データが一時的に格納される揮発性メモリや、データが恒久的に格納される不揮発性メモリ等を含む。タッチパネル２２０は、画像を表示するためのディスプレイ上に、タッチ操作によりユーザ入力を受付けるためのタッチ入力デバイスを設けたものである。通信Ｉ／Ｆ２３０は、他の装置と通信を行うためのインタフェースである。通信Ｉ／Ｆ２３０は、例えば、携帯電話の無線通信回線に接続するためのインタフェースや、無線ＬＡＮ（Local Area Network）に接続するためのインタフェース、ＵＳＢ（Universal Serial Bus）に接続するためのインタフェース等が含まれる。
【００１４】
図３は、携帯端末１００の機能ブロックの一例を示す図である。携帯端末１００は、商品情報記憶部３００、操作受付部３１０、商品特定部３２０、商品表示部３３０、詳細情報取得部３４０、及び購入処理部３５０を含む。図３に示す機能ブロックは、携帯端末１００でオンラインショッピングサーバ１１０のサービスを利用するためのものである。これらの機能ブロックは、例えば、オンラインショッピングサーバ１１０のサービスを利用するためのプログラム（商品表示プログラム）により提供される。プログラムは、例えば、携帯端末１００用のアプリケーションとして、携帯端末１００にあらかじめインストールされるものとすることができる。また、プログラムは、オンラインショッピングサーバ１１０へのアクセスに応じて、携帯端末１００にダウンロードされるものであってもよいし、オンラインショッピングサーバ１１０で実行されるものであってもよい。
【００１５】
商品情報記憶部３００は、オンラインショッピングサービスの対象商品に関する商品情報を記憶する。具体的には、商品情報記憶部３００は、複数の商品（本実施形態では衣類）のそれぞれについて、当該商品と、当該商品のフォーマル度（第１の属性）の属性値（第１の属性値）、季節度（第２の属性）の属性値（第２の属性値）と、当該商品の色を示す色情報と、当該商品の画像とを対応付けて記憶する。
【００１６】
図４は、商品情報記憶部３００に記憶される商品情報の一例を示す図である。図４に示すように、商品情報は、商品ＩＤ、フォーマル度の属性値、季節度の属性値、色情報、及び商品画像を含む。図４に示す商品情報は、例えば、オンラインショッピングサーバ１１０のサービスを利用する際に、オンラインショッピングサーバ１１０からダウンロードされる。
【００１７】
商品ＩＤは、商品を識別するための識別子である。なお、商品は、衣類単品に限らず、例えば、複数の商品の組み合わせ（コーディネート）であってもよい。
【００１８】
フォーマル度は、商品のフォーマル度を示す属性である。フォーマル度の属性値は、例えば、カジュアルからフォーマルに向かって値が大きくなるように、０から１００の範囲で設定することができる。季節度は、商品の季節度を示す属性である。季節度の属性値は、例えば、春物から冬物に向かって値が大きくなるように、０から１００の範囲で設定することができる。なお、フォーマル度及び季節度の属性値の設定方法はこれに限られない。また、商品の属性は、フォーマル度及び季節度に限られない。
【００１９】
色情報は、商品の色を示す情報であり、例えば、ＲＧＢ値により表される。ＲＧＢの各色は、例えば、８ビット（０〜２５５）で表される。なお、色情報の設定方法はこれに限られない。例えば、「黒」や「茶」等であってもよい。また、色情報は、商品画像に基づいて動的に生成されることとしてもよい。
【００２０】
商品画像は、商品の画像を示す情報であり、例えば、ＪＰＥＧやＧＩＦ、ＰＮＧ等の形式の画像データである。なお、商品画像は、画像データが格納された場所を示す情報（例えばＵＲＬ等）であってもよい。
【００２１】
操作受付部３１０は、商品を選択するための操作を受け付ける。図５は、商品を選択するための操作画面の一例を示す図である。操作画面は、メニュー領域５００及び情報表示領域５１０を含む。メニュー領域５００は、例えば、商品のカテゴリを選択したり、ショッピングカートの状態を表示したりするための領域である。情報表示領域５１０は、商品に関する種々の情報を表示するための領域である。情報表示領域５１０は、ユーザ操作が行われるとともに商品に関する情報が表示される表示領域５２０を含む。表示領域５２０は、横方向（第１の方向）がフォーマル度（第１の属性）に対応付けられ、縦方向（第２の方向）が季節度（第２の属性）に対応付けられている。操作受付部３１０は、表示領域５２０上で指定される座標値により、フォーマル度及び季節度を指定する値である指定値を受け付ける。具体的には、操作受付部３１０は、表示領域５２０上で指定される座標値に応じて、フォーマル度の指定値（第１の指定値）及び季節度の指定値（第２の指定値）を受け付ける。図５に示す例では、指５３０が座標５４０上にある場合、操作受付部３１０は、フォーマル度及び季節度の指定値として、（６０，７０）を受け付けることができる。また、指５３０が座標５５０上にある場合、操作受付部３１０は、フォーマル度及び季節度の指定値として、（６５，２０）を受け付けることができる。
【００２２】
商品特定部３２０は、商品情報記憶部３００を参照し、複数の商品の中から、操作受付部３１０で受け付けたフォーマル度及び季節度の指定値に対応する属性値を有する商品を特定する。指定値に対応する属性値を有する商品は、例えば、指定値との差が最も小さい属性値を有する商品とすることができる。指定値と属性値との差は、例えば、表示領域５２０上における座標間の距離により求めることができる。
【００２３】
商品表示部３３０は、商品情報記憶部３００を参照し、商品特定部３２０により特定された商品の画像を表示する。図６及び図７は、商品特定部３２０により特定された商品の画像が表示された状態の例を示す図である。
【００２４】
図６に示す例では、表示領域５２０において座標６００が指定されている。図７に示す例では、表示領域５２０において座標７００が指定されている。商品表示部３３０は、座標６００，７００の座標値（指定値）に対応する属性値を有する商品の画像６１０，７１０を、表示領域５２０上に表示することができる。なお、商品表示部３３０は、表示領域５２０とは異なる場所に、商品の画像６１０，７１０を表示してもよい。
【００２５】
また、商品表示部３３０は、表示領域５２０において指定される属性（フォーマル度及び季節度）を示すために、属性に関する情報を表示することができる。本実施形態では、表示領域５２０の横方向にフォーマル度が割り当てられ、表示領域５２０の縦方向に季節度が割り当てられている。そのため、図６及び図７に示す例では、商品表示部３３０は、フォーマル度の軸（横軸）に合わせて、「ＣＡＳＵＡＬ」及び「ＦＯＲＭＡＬ」を表示し、季節度の軸（縦軸）に合わせて、「ＳＰＲＩＮＧ」及び「ＷＩＮＴＥＲ」を表示している。なお、属性に関する情報の表示態様はこれに限られない。
【００２６】
さらに、商品表示部３３０は、表示領域５２０で指定された座標値に応じて、表示領域５２０の表示態様を変更することができる。例えば、図６及び図７に示す例では、商品表示部３３０は、表示領域５２０において、商品の画像６１０，７１０の背景に、略等間隔に配列された円の画像を表示している。そして、商品表示部３３０は、指定された座標６００，７００からの距離に応じて、円の大きさを変更している。また、商品表示部３３０は、指定された座標６００，７００に応じて、属性に関する情報（「ＣＡＳＵＡＬ」／「ＦＯＲＭＡＬ」及び「ＳＰＲＩＮＧ」／「ＷＩＮＴＥＲ」）の大きさも変更している。
【００２７】
また、商品表示部３３０は、商品情報記憶部３００に記憶されている色情報に基づいて、表示領域５２０の少なくとも一部の色を変更することができる。図６及び図７に示す例では、商品表示部３３０は、表示領域５２０における円の画像及び属性に関する情報を、商品と同等の色に変更している。
【００２８】
詳細情報取得部３４０は、商品の価格やサイズ等の詳細情報を取得することができる。詳細情報取得部３４０は、例えば、図６に示す画面において、「商品を見る」ボタン６２０が選択されると、当該商品の詳細情報をオンラインショッピングサーバ１１０から取得することができる。図８は、商品の詳細情報が表示された画面の一例を示す図である。図８に示すように、商品表示部３３０は、詳細情報取得部３４０により取得された情報に基づいて、商品の価格やサイズ等の詳細情報を表示することができる。なお、商品表示部３３０は、商品の詳細情報を、表示領域５２０に表示してもよい。
【００２９】
購入処理部３５０は、ユーザにより選択された商品の購入に関する処理を実行する。例えば、購入処理部３５０は、図８に示す画面において、「カートに追加」ボタン８００が選択されると、当該商品を購入するための情報を生成し、ショッピングカートに登録することができる。
【００３０】
以上、本実施形態のオンラインショッピングシステムにおける、携帯端末１００で商品を選択する際のユーザインタフェースについて説明した。本実施形態によれば、図６及び図７に例示したように、表示領域５２０上で指定される座標６００，７００により、フォーマル度及び季節度の属性を指定する指定値を受け付け、当該指定値に対応する属性値を有する商品の画像６１０，７１０を表示することができる。このように、表示領域５２０上での直感的な操作により２つの属性を指定して商品を選択するという、新しい操作性を提供することができる。
【００３１】
なお、本実施形態では、携帯端末１００のタッチパネル２２０において、表示領域５２０上の座標を指定する例を示したが、表示領域上の座標を指定する操作の方法はこれに限られない。例えば、パーソナルコンピュータの場合、ウェブブラウザ上の表示領域においてマウスカーソルを動かすことにより、表示領域上の座標が指定されてもよい。
【００３２】
また、本実施形態によれば、図６及び図７に例示したように、商品の画像６１０，７１０を、商品の選択操作を行うための表示領域５２０上に表示することができる。これにより、表示領域５２０上で操作を行いながら、商品の画像６１０，７１０を容易に確認することができる。
【００３３】
また、本実施形態によれば、表示領域５２０上での連続操作により、フォーマル度及び季節度の属性を指定する指定値を連続して受け付け、当該指定値に対応する複数の商品の画像を切り替えて表示することができる。より具体的には、図５に示したように、タッチパネル２２０に指５３０を接触させたまま、表示領域５２０内で指５３０を動かす操作（スワイプ操作）により、指５３０で指定された座標値に応じて、複数の商品の画像を切り替えて表示することができる。これにより、テレビ番組のザッピングを行うような感覚で、複数の商品の画像を切り替えながら、商品を選択することができる。
【００３４】
また、本実施形態によれば、図６及び図７に例示したように、表示領域５２０で指定された座標値に応じて、表示領域５２０の表示態様を変更することができる。これにより、選択された商品の属性を視覚的に把握することが可能となる。
【００３５】
また、本実施形態によれば、図６及び図７に例示したように、商品の色に応じて、表示領域５２０の少なくとも一部の色を変更することができる。これにより、商品の雰囲気にマッチした画面にすることができる。また、商品を変更すると、表示領域５２０の色も変更されるため、商品を選択する際の楽しさを演出することが可能となる。
【００３６】
なお、本実施形態は、本発明の理解を容易にするためのものであり、本発明を限定して解釈するためのものではない。本発明は、その趣旨を逸脱することなく、変更／改良され得るととともに、本発明にはその等価物も含まれる。
【符号の説明】
【００３７】
１００  携帯端末
１１０  オンラインショッピングサーバ
１２０  ネットワーク
２００  プロセッサ
２１０  記憶装置
２２０  タッチパネル
２３０  通信インタフェース
３００  商品情報記憶部
３１０  操作受付部
３２０  商品特定部
３３０  商品表示部
３４０  詳細情報取得部
３５０  購入処理部
５００  メニュー領域
５１０  情報表示領域
５２０  表示領域
５３０  指
５４０，５５０，６００，７００  座標
６１０，７１０  画像
６２０，８００  ボタン
【要約】
【課題】オンラインショッピングで商品を選択するための新しい操作性を提供する。
【解決手段】商品表示プログラムは、コンピュータに、複数の商品のそれぞれについて、当該商品と、当該商品の第１の属性における第１の属性値及び第２の属性における第２の属性値と、当該商品の画像とを対応付けて記憶する商品情報記憶部と、第１の属性に対応付けられた第１の方向と、当該第１の方向に直交し、第２の属性に対応付けられた第２の方向とを含む表示領域上で指定される座標値により、第１の属性を指定する第１の指定値と、第２の属性を指定する第２の指定値とを受け付ける操作受付部と、商品情報記憶部を参照し、複数の商品の中から、第１及び第２の指定値に対応する第１及び第２の属性値を有する商品を特定する商品特定部と、特定された商品の画像を表示する商品表示部と、を実現させる。
【選択図】図６【図１】
0005809762.tif 000002
【図２】
0005809762.tif 000003
【図３】
0005809762.tif 000004
【図４】
0005809762.tif 000005
【図５】
0005809762.tif 000006
【図６】
0005809762.tif 000007
【図７】
0005809762.tif 000008
【図８】
0005809762.tif 000009